(57)【要約】【課題】階調アンプのオフセットの影響を軽減することが可能な表示駆動装置及びそのような表示駆動装置を備える表示装置を提供すること。【解決手段】極性反転スイッチ部２３１の極性反転スイッチＳＷａ、ＳＷｂにより、ガンマアンプ２３２ａ、２３２ｂに入力される電圧の極性を所定期間毎に反転させる。これにより、交流駆動を行うとともに、極性反転の前後で、表示データに対して同じ階調アンプが用いられるので、階調アンプにオフセットがあったとしても、極性反転の前後でその影響がキャンセルされる。【選択図】図４
2009139441.tif 000002
【特許請求の範囲】
【請求項１】
表示画素をデジタル信号の表示データに基づいて駆動する表示駆動装置において、
前記表示データが取り得る全ての階調レベルに対応する複数の階調電圧を生成するための階調電圧生成手段と、
前記階調電圧生成手段から出力される前記複数の階調電圧をそれぞれ増幅して出力する複数の増幅手段と、
前記各増幅手段が有するオフセットの影響を除去するオフセット除去手段と、
を具備することを特徴とする表示駆動装置。
【請求項２】
前記オフセット除去手段は、前記階調電圧生成手段に供給される電源電圧の極性を所定期間毎に反転させる極性反転部を有することを特徴とする請求項１に記載の表示駆動装置。
【請求項３】
前記極性反転部と、前記階調電圧生成手段との間に接続され、前記階調電圧生成手段に供給される電源電圧を増幅する電源電圧増幅手段をさらに具備し、
前記オフセット除去手段は、前記電源電圧増幅手段が有するオフセットの影響をさらに除去することを特徴とする請求項２に記載の表示駆動装置。
【請求項４】
前記表示画素は、液晶画素であり、
前記所定期間は、前記液晶画素に印加される電圧の極性反転期間に対応した期間であることを特徴とする請求項２に記載の表示駆動装置。
【請求項５】
前記階調電圧生成手段は、複数の抵抗が直列に接続されてなり、
前記階調電圧生成手段に供給される電圧は、前記直列に接続された複数の抵抗の両端に供給される電圧であることを特徴とする請求項１に記載の表示駆動装置。
【請求項６】
複数の走査ライン及び複数の信号ラインの各交点近傍にマトリクス状に配列された複数の表示画素を有する表示パネルをデジタル信号の表示データに基づいて駆動して画像表示を行う表示装置において、
前記複数の走査ラインに走査信号を順次出力して前記表示画素を順次選択状態に設定する走査側駆動手段と、
前記選択状態に設定された表示画素に前記表示データに対応した映像信号を出力する信号側駆動手段と、
を具備し、
前記信号側駆動手段は、前記表示データが取り得る全ての階調レベルに対応する複数の階調電圧を生成するための階調電圧生成手段と、
前記階調電圧生成手段から出力される前記複数の階調電圧をそれぞれ増幅して出力する複数の増幅手段と、
前記各増幅手段が有するオフセットの影響を除去するオフセット除去手段と、
を有することを特徴とする表示装置。
【発明の詳細な説明】
【技術分野】
【０００１】
本発明は、階調アンプ方式を用いた表示駆動を行うことができる表示駆動装置及びそのような表示駆動装置を備える表示装置に関する。
【背景技術】
【０００２】
液晶表示装置において階調表示を行うための方式の一つとして、階調アンプ方式とよばれる方式がある。階調アンプ方式は、電源電圧を抵抗分割等の手法によって分割して生成される複数の階調電圧の中から表示データの示す階調レベルに応じた階調電圧を選択して表示画素に供給することで階調表示を行う方式である（例えば、特許文献１参照）。
【０００３】
図６は従来の階調アンプ方式のソースドライバの回路構成の一例を示す図である。図６に示すソースドライバにおいては、階調電圧を生成するための電圧を生成する電源ＶγＨ及びＶγＬとは電位が固定されている。これら電源ＶγＨとＶγＬとの間に生じる電圧は、ガンマアンプ１０１ａ、１０１ｂを介してガンマ抵抗部１０２に印加される。ガンマ抵抗部１０２は、液晶のＶＴ（電圧−透過率）特性に応じた抵抗値をそれぞれが有するｎ個の抵抗Ｒ１〜Ｒｎを有し、これらの抵抗が直列に接続されて構成されている。ガンマ抵抗部１０２に印加された電源ＶγＨ及びＶγＬとの間に生じる電圧は、ｎ個の抵抗Ｒ１〜Ｒｎによって分割されて、階調アンプ部１０４に供給される。階調アンプ部１０４は、ｎ個の階調アンプＶ１〜Ｖｎを有している。階調アンプＶ１〜Ｖｎは、供給された電圧に対してバッファ回路として動作し、供給された電圧（階調電圧）をデジタルアナログコンバータ（ＤＡＣ）部１０５に供給する。ＤＡＣ部１０５は、それぞれが階調アンプＶ１〜Ｖｎに接続されたｐ個のＤＡＣ１〜ＤＡＣｐを有している。ＤＡＣ１〜ＤＡＣｐにはｍビットの表示データＤ１〜Ｄｐが入力され、ＤＡＣ１〜ＤＡＣｐは、入力された表示データの値に応じた階調電圧を選択し、選択した階調電圧Ｙ１〜Ｙｐを、ソースラインを介して表示画素に供給する。表示画素は、ソースラインに接続された画素電極と画素電極に対向配置された対向電極とを有し、画素電極に印加された階調電圧と対向電極に印加された共通電圧との差の電圧が液晶に印加されて階調表示が行われる。
【０００４】
ここで、液晶には、一定時間以上の直流電圧の印加によって劣化する性質がある。このため、通常、液晶表示装置の駆動には、表示画素に印加される電圧の極性を所定時間（例えば、１フレームや１フィールド）毎に反転させる、所謂交流駆動を行う必要がある。図６においては、ガンマ抵抗部１０２の抵抗Ｒ１〜Ｒｎと、階調アンプ部１０４の階調アンプＶ１〜Ｖｎとの間に極性反転スイッチＳＷ１ａ〜ＳＷｎａ及びＳＷ１ｂ〜ＳＷｎｂからなる極性反転スイッチ部１０３を設けることで、極性反転スイッチ部１０３に供給される極性制御信号ＰＯＬに応じて階調アンプＶ１〜Ｖｐへの入力電圧の極性を反転させるようにしている。例えば、表示データ＝０に対しては、ＰＯＬがＬｏｗレベルのときに階調アンプＶ１に対応した階調電圧が画素電極に供給され、ＰＯＬがＨｉレベルのときに階調アンプにＶｎに対応した階調電圧が画素電極に供給される。
【特許文献１】特開２００７−１７５９７号公報
【発明の開示】
【発明が解決しようとする課題】
【０００５】
上述のように、図６の構成では、表示画素に印加される電圧の極性の反転前後で、１つの表示データ値（階調レベル）に対し、異なる２つの階調アンプによって表示画素に階調電圧が供給されることになる。ここで、階調アンプは、オフセットを有している場合が考えられる。階調アンプがオフセットを有していると、所望の階調での表示がなされない場合がある。
【０００６】
例えば、図６で示すｎ個の階調アンプＶ１〜Ｖｎのうち、階調アンプＶ２と階調アンプＶｎ−１とがともに目的の階調電圧よりも高い電圧を出力してしまうようなオフセットを有しているとする。この場合、図７に示すように、ＰＯＬがＨｉレベルのときに階調アンプＶｎ−１に対応した電圧と共通電圧Ｖｃｏｍとの差である画素電圧ＶＬＣＤが目的の電圧よりも小さくなる。また、ＰＯＬがＬｏｗレベルのときに階調アンプＶ２に対応した電圧と共通電圧Ｖｃｏｍとの差である画素電圧ＶＬＣＤが目的の電圧よりも小さくなる。即ち、階調電圧の極性反転の前後で何れも目的の電圧よりも小さくなるため、結果として、目的とする階調よりも明るい階調の表示なされてしまう。
【０００７】
このように、図６の構成では、１つの階調電圧に対応する２個の階調アンプのオフセットによっては、目的としている階調よりも明るい表示がなされたり、目的としている階調よりも暗い表示がなされたりする場合がある。また、オフセット量が階調間の電圧差よりも大きくなるような場合には、階調の逆転が起こってしまうことになる。さらには、ＤＣアンバランスも発生してしまう。
【０００８】
本発明は、上記の事情に鑑みてなされたもので、階調アンプのオフセットの影響を軽減することが可能な表示駆動装置及びそのような表示駆動装置を備える表示装置を提供することを目的とする。
【課題を解決するための手段】
【０００９】
上記の目的を達成するために、本発明の第１の態様の表示駆動装置は、表示画素をデジタル信号の表示データに基づいて駆動する表示駆動装置において、前記表示データが取り得る全ての階調レベルに対応する複数の階調電圧を生成するための階調電圧生成手段と、前記階調電圧生成手段から出力される前記複数の階調電圧をそれぞれ増幅して出力する複数の増幅手段と、前記各増幅手段が有するオフセットの影響を除去するオフセット除去手段とを具備することを特徴とする。
【００１０】
また、上記の目的を達成するために、本発明の第２の態様の表示装置は、複数の走査ライン及び複数の信号ラインの各交点近傍にマトリクス状に配列された複数の表示画素を有する表示パネルをデジタル信号の表示データに基づいて駆動して画像表示を行う表示装置において、前記複数の走査ラインに走査信号を順次出力して前記表示画素を順次選択状態に設定する走査側駆動手段と、前記選択状態に設定された表示画素に前記表示データに対応した映像信号を出力する信号側駆動手段とを具備し、前記信号側駆動手段は、前記表示データが取り得る全ての階調レベルに対応する複数の階調電圧を生成するための階調電圧生成手段と、前記階調電圧生成手段から出力される前記複数の階調電圧をそれぞれ増幅して出力する複数の増幅手段と、前記各増幅手段が有するオフセットの影響を除去するオフセット除去手段とを有することを特徴とする。
【発明の効果】
【００１１】
本発明によれば、階調アンプのオフセットの影響を軽減することが可能な表示駆動装置及びそのような表示駆動装置を備える表示装置を提供することができる。
【発明を実施するための最良の形態】
【００１２】
以下、図面を参照して本発明の実施形態を説明する。  
図１は、本発明の一実施形態に係る表示駆動装置を適用した表示装置の構成を示す図である。図１に示す表示装置１は、表示パネル１０と、ソースドライバ（信号側駆動手段）２０と、ゲートドライバ（走査側駆動手段）３０と、ＲＧＢデコーダ４０と、共通電圧発生回路５０と、コントローラ６０と、電源電圧発生回路７０とを有している。
【００１３】
表示パネル１０は、行方向に配設された複数のゲートラインと、列方向に配設された複数のソースラインとを備え、ゲートラインとソースラインとの各交点近傍に図２に示す表示画素が設けられて構成されている。
【００１４】
図２は、表示パネル１０に設けられる１つの表示画素の等価回路を示す図である。図２に示すゲートラインＧには薄膜トランジスタ（ＴＦＴ）１１のゲート電極が接続され、ソースラインＳにはＴＦＴ１１のソース電極が接続されている。さらに、ＴＦＴ１１のドレイン電極には画素電極１２と補助容量１４の一方の電極とが接続されている。そして、共通電極１３と補助容量１４の他方の電極とは共通信号ラインＣに接続されている。さらに、画素電極１２と共通電極１３との間には液晶が充填され、液晶層を構成している。このような構成の表示画素において、画素電極１２と共通電極１３との間に電圧が印加されると、この電圧の値に応じて画素電極１２と共通電極１３との間に充填された液晶の配向状態が変化して液晶層中における光の透過率が変化する。これにより、図２に示す表示画素の背面等に配置された図示しない光源からの光の透過状態が変化して画像表示が行われる。
【００１５】
ソースドライバ２０は、図２のソースラインＳが接続され、コントローラ６０から出力される水平制御信号（クロック信号ＳＣＫ、スタート信号ＳＴＨ、ラッチ動作制御信号ＳＴＢ等）と極性制御信号ＰＯＬとに基づいて、ＲＧＢデコーダ４０から供給されるＲ（赤）、Ｇ（緑）、Ｂ（青）の各色の表示データを１行単位で取り込み、この取り込んだ表示データに対応する階調電圧を選択してソースラインＳに供給する。このソースドライバ２０については後で詳しく説明する。
【００１６】
ゲートドライバ３０は、図２のゲートラインＧが接続され、コントローラ６０からの垂直制御信号を受け、１行分のＴＦＴ１１をオンするための走査信号を各ゲートラインＧに順次印加して、ＴＦＴ１１をオン状態とし、ソースラインＳと交差する位置の表示画素における画素電極１２に、ソースドライバ２０からソースラインＳを介して供給された階調電圧を印加する。
【００１７】
ＲＧＢデコーダ４０は、例えば表示装置１の外部から供給される映像信号（例えばコンポジットビデオ信号）から水平同期信号Ｈ、垂直同期信号Ｖ、及び輝度・色差信号を抽出してコントローラ６０に供給するとともに、輝度・色差信号からＲ、Ｇ、Ｂの各色の表示データを生成してソースドライバ２０に出力する。
【００１８】
共通電圧発生回路５０には、図２の共通信号ラインＣが接続されている。この共通電圧発生回路５０は、コントローラ６０から出力される極性制御信号ＰＯＬに基づいて、所定期間（例えば、１フレームや１フィールド）毎に極性が反転する共通電圧Ｖｃｏｍを生成して、共通信号ラインＣに印加する。
【００１９】
コントローラ６０は、ＲＧＢデコーダ４０からの垂直同期信号Ｖを受けて極性制御信号ＰＯＬ及び垂直制御信号を生成し、極性制御信号ＰＯＬをソースドライバ２０及び共通電圧発生回路５０に、垂直制御信号をゲートドライバ３０に出力する。ここで、極性制御信号ＰＯＬは、液晶層に印加される電圧の極性を所定期間毎に反転させるための制御信号である。また、コントローラ６０は、ＲＧＢデコーダ４０からの水平同期信号Ｈを受けて水平制御信号を生成してソースドライバ２０に出力する。
【００２０】
電源電圧発生回路７０は、ソースドライバ２０において階調電圧を生成するための電源電圧ＶγＬ及びＶγＨを生成してソースドライバ２０に供給する。
【００２１】
次に、図１のような構成を有する表示装置１の動作について説明する。  
ＲＧＢデコーダ４０から垂直同期信号Ｖが供給されるとコントローラ６０において極性制御信号ＰＯＬ及び垂直制御信号が生成される。そして、極性制御信号ＰＯＬはソースドライバ２０及び共通電圧発生回路５０に、垂直制御信号はゲートドライバ３０に出力される。
【００２２】
ソースドライバ２０に極性制御信号ＰＯＬが入力されると、階調電圧の極性が反転される。さらに、ゲートドライバ３０は、垂直制御信号が入力されて、１行分のＴＦＴ１１をオンするための走査信号を各ゲートラインＧに順次印加する。
【００２３】
また、ＲＧＢデコーダ４０から水平同期信号Ｈが供給されるとコントローラ６０において水平制御信号が生成されてソースドライバ２０に出力される。また、これに伴って、ＲＧＢデコーダ４０から表示データが出力される。ソースドライバ２０は、水平制御信号を受けてＲＧＢデコーダ４０からの表示データを取り込み、この取り込んだ表示データに対応する階調電圧を選択して対応するソースラインＳに印加する。
【００２４】
ゲートラインＧに走査信号が印加され、ソースラインＳに階調電圧が印加されると、これらの交点付近に設けられたＴＦＴ１１がオンし、オンしたＴＦＴ１１を介して表示画素の画素電極１２と補助容量１４とにソースラインＳからの階調電圧が印加される。そして、この印加された階調電圧と共通電圧との差に応じた電圧が液晶層と補助容量とに保持される。液晶層に発生した電界の強さによって液晶の配向状態が変化して液晶層における光の透過率が変化する。これにより、図２に示す表示画素の背面等に配置された図示しない光源からの光の透過状態が変化して画像表示が行われる。なお、補助容量１４は、液晶に印加されている電圧を次の階調電圧の印加時まで保持しておくために設けられている。
【００２５】
次に、ソースドライバ２０についてさらに説明する。図３は、本実施形態におけるソースドライバ２０の構成を示す図である。図３に示すソースドライバ２０は、データレジスタ部２１と、データラッチ部２２と、階調電圧生成部２３と、階調アンプ部２４と、デジタルアナログコンバータ（ＤＡＣ）部２５とを有している。
【００２６】
データレジスタ部２１は、ＲＧＢデコーダ４０から１表示画素分の表示データ（図３ではｍbitの表示データ）が順次入力され、コントローラ６０からのスタート信号ＳＴＨを受けた場合に、ＲＧＢデコーダ４０から入力される表示データを、クロック信号ＳＣＫに同期して順次取り込む。
【００２７】
データラッチ部２２は、コントローラ６０からのラッチ動作制御信号ＳＴＢを受ける毎にデータレジスタ部２１に保持された表示データを一斉に取り込み、取り込んだ表示データＤ１〜Ｄｐを、ＤＡＣ部２５の各表示画素に対応するＤＡＣに出力する。
【００２８】
階調電圧生成部２３は、表示データが取り得る全ての階調レベルに応じたｎ（＝２ｍ）個の階調電圧を生成する。階調アンプ部２４は、階調電圧生成部２３で生成されたｎ個の階調電圧をそれぞれ増幅する。
【００２９】
ＤＡＣ部２５は、ソースラインＳの数に対応したｐ個のデジタルアナログコンバータＤＡＣ１〜ＤＡＣｐを有している。それぞれのＤＡＣは、データラッチ部２２から入力される表示画素毎の表示データが示す階調レベルに対応する階調電圧Ｙ１〜Ｙｐを選択して対応するソースラインＳに出力する。
【００３０】
図４は、階調電圧生成部２３及び階調アンプ部２４の構成を示す図である。  
図４に示すように、階調電圧生成部２３は、極性反転スイッチ部２３１と、ガンマアンプ２３２ａ、２３２ｂと、ガンマ抵抗部２３３とを有している。また、階調アンプ部２４は、階調レベルに応じたｎ個の階調アンプＶ１〜Ｖｎを有している。
【００３１】
極性反転スイッチ部２３１は、極性反転スイッチＳＷａ、ＳＷｂとを有している。極性反転スイッチＳＷａは一端が電源電圧発生回路７０において生成された電圧ＶγＬ又はＶγＨの入力端子に接続され、他端がガンマアンプ２３２ａに接続されている。極性反転スイッチＳＷｂは一端が電源電圧発生回路７０において生成された電圧ＶγＨ又はＶγＬの別の入力端子に接続され、他端がガンマアンプ２３２ｂに接続されている。これらの極性反転スイッチＳＷａ、ＳＷｂは何れも極性制御信号ＰＯＬの極性に応じて接続状態が切り替わるスイッチである。即ち、極性制御信号ＰＯＬがＨｉレベルのときに極性反転スイッチＳＷａは電圧ＶγＬの入力端子に接続され、極性反転スイッチＳＷｂは電圧ＶγＨの入力端子に接続される。逆に、極性制御信号ＰＯＬがＬｏｗレベルのときに極性反転スイッチＳＷａは電圧ＶγＨの入力端子に接続され、極性反転スイッチＳＷｂは電圧ＶγＬの入力端子に接続される。このような構成により、極性制御信号ＰＯＬのレベル変化に応じてガンマアンプ２３２ａ、２３２ｂに入力される電圧の極性が反転する。
【００３２】
ガンマアンプ２３２ａは、バッファ回路として動作し、極性反転スイッチＳＷａを介して供給される電圧を増幅する。同様に、ガンマアンプ２３２ｂは、極性反転スイッチＳＷｂを介して供給される電圧を増幅する。
【００３３】
ガンマ抵抗部２３３は、表示パネル１０の各表示画素の表示階調数に応じた数の抵抗Ｒ１〜Ｒｎを有し、これら抵抗Ｒ１〜Ｒｎが直列に接続されて構成されている。各抵抗Ｒ１〜Ｒｎは、ガンマアンプ２３２ａ及び２３２ｂを介して供給される電圧ＶγＨと電圧ＶγＬとの間に発生する電圧を分割してｎ個の階調電圧を生成する。
【００３４】
上述したように、階調アンプ部２４は、ガンマ抵抗部２３３によって生成されるｎ個の階調電圧にそれぞれ対応したｎ個の階調アンプＶ１〜Ｖｎを有している。各階調アンプＶ１〜Ｖｎは、バッファ回路として動作し、ガンマ抵抗部２３３の各抵抗間に発生する階調電圧をそれぞれ増幅する。
【００３５】
以下、図５を参照して図４の階調電圧生成部２３の動作について説明する。図５は、本実施形態における階調アンプのオフセットと、表示画素に印加される画素電圧との関係を示す図である。なお、ここでは、図５で示すｎ個の階調アンプＶ１〜Ｖｎのうち、階調アンプＶ２と階調アンプＶｎ−１がオフセットを有しているとする。
【００３６】
上述したように、本実施形態においては、極性制御信号ＰＯＬがＨｉレベルのときに極性反転スイッチＳＷａは電圧ＶγＬの入力端子に接続されるとともに、極性反転スイッチＳＷｂは電圧ＶγＨの入力端子に接続される。逆に、極性制御信号ＰＯＬがＬｏｗレベルのときに極性反転スイッチＳＷａは電圧ＶγＨの入力端子に接続されるとともに、極性反転スイッチＳＷｂは電圧ＶγＬの入力端子に接続される。即ち、本実施形態では、極性の反転時において、ガンマ抵抗部２３３の各抵抗Ｒ１〜Ｒｎの接続を切り替えずに、ガンマ抵抗部２３３へ入力する電圧の極性を切り替えるようにしている。これにより、同一の階調レベルに対しては常に同一の階調アンプからの階調電圧をＤＡＣ部２５において選択することができる。即ち、階調電圧の極性反転の前後において、表示データ（階調レベル）に対して階調アンプが固定となる。例えば、階調アンプＶ１は常に表示データ＝０の場合に選択されることになる。
【００３７】
図５で示す階調アンプＶｎ−１（表示データ＝２ｍ−２に対応）に着目すると、極性制御信号ＰＯＬがＬｏｗレベルの場合に、階調アンプＶｎ−１は、目的とする電圧よりも低い電圧を出力し、結果として画素電圧ＶＬＣＤは目的とする電圧よりも低くなる。一方、極性制御信号ＰＯＬがＨｉレベルの場合に、階調アンプＶｎ−１は、目的とする電圧よりも高い電圧を出力し、結果として画素電圧ＶＬＣＤは目的とする電圧よりも高くなる。したがって、極性制御信号ＰＯＬがＬｏｗレベルの場合には、目的とする階調よりも低い階調の表示（暗い表示）がなされ、極性制御信号ＰＯＬがＨｉレベルの場合には、目的とする階調よりも高い階調の表示（明るい表示）がなされる。ここで、オフセットの量は、極性制御信号ＰＯＬの変化の前後で同じであるので、実際には、ユーザの目には、極性制御信号ＰＯＬがＬｏｗレベルのときとＨｉレベルのときの中間の階調の表示がなされていると認識される。
【００３８】
以上説明したように、本実施形態によれば、ガンマアンプ２３２ａ、２３２ｂに入力される電圧の極性を反転して交流駆動を行うようにしたことで、階調アンプのオフセットの影響をキャンセルすることが可能である。これにより、階調アンプにオフセットがあっても自然な表示が可能で且つＤＣアンバランスも起きることがない。また、ガンマアンプ２３２ａ、２３２ｂに入力される電圧の極性を反転して交流駆動を行うようにしたことで、ガンマアンプ２３２ａ、２３２ｂにもオフセットがあった場合に、その影響をもキャンセルすることが可能である。
【００３９】
以上実施形態に基づいて本発明を説明したが、本発明は上述した実施形態に限定されるものではなく、本発明の要旨の範囲内で種々の変形や応用が可能なことは勿論である。
【００４０】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００４１】
【図１】本発明の一実施形態に係る表示駆動装置を適用した表示装置の構成を示す図である。
【図２】表示パネルに設けられる１つの表示画素の等価回路を示す図である。
【図３】ソースドライバの構成を示す図である。
【図４】階調電圧生成部及び階調アンプ部の構成を示す図である。
【図５】本発明の一実施形態における階調アンプのオフセットと、表示画素に印加される画素電圧との関係を示す図である。
【図６】従来の階調電圧生成部及び階調アンプ部の構成を示す図である。
【図７】従来の構成における階調アンプのオフセットと、表示画素に印加される画素電圧との関係を示す図である。
【符号の説明】
【００４２】
１…表示装置、１０…表示パネル、２０…ソースドライバ、２１…データレジスタ部、２２…データラッチ部、２３…階調電圧生成部、２４…階調アンプ部、２５…デジタルアナログコンバータ（ＤＡＣ）部、３０…ゲートドライバ、４０…ＲＧＢデコーダ、５０…共通電圧発生回路、６０…コントローラ、７０…電源電圧発生回路、２３１…極性反転スイッチ部、２３２ａ，２３２ｂ…ガンマアンプ、２３３…ガンマ抵抗部
【図１】
2009139441.tif 000003
【図２】
2009139441.tif 000004
【図３】
2009139441.tif 000005
【図４】
2009139441.tif 000006
【図５】
2009139441.tif 000007
【図６】
2009139441.tif 000008
【図７】
2009139441.tif 000009